(57)【要約】【課題】表面摩耗強度、耐久性、立体感のある意匠性を有する外観、撥水性を有する生地から縫製された袋部を有する袋物を提供することを課題とする【解決手段】収納物を収納可能な袋部を有する袋体であって、スポーツ競技用ボールの表皮に加工される前の表皮用シート生地で前記袋部が形成されている袋物により課題解決できた。【選択図】      図２
0003217871.tif 000002
【実用新案登録請求の範囲】
【請求項１】
収納物を収納可能な袋部を有する袋体であって、
スポーツ競技用ボールの表皮に加工される前の表皮用シート生地で前記袋部が形成されていることを特徴とする袋物。
【請求項２】
前記袋部を形成する複数の表皮用シート生地からなる構成パーツの組合せが、同一スポーツ競技用ボールの表皮に加工される前の表皮用シート生地の、同一模様同一色彩の組合せ、同一模様異なる色彩の組合せ、異なる模様同一色彩の組合せ、又は、異なる模様異なる色彩の組合せからなることを特徴とする請求項１に記載の袋物。
【請求項３】
前記袋部を形成する複数の表皮用シート生地からなる構成パーツの組合せが、異なるスポーツ競技用ボールの表皮に加工される前のそれぞれの表皮用シート生地の組合せからなることを特徴とする請求項１に記載の袋物。
【請求項４】
２枚の前記表皮用シート生地をそれぞれの表側同士を接した状態で縫製により接合させている部位において、前記縫製による縫い目近傍で折り曲げて、前記縫い目から裁ち目の間の縫い代を８〜１２ｍｍとしたことを特徴とする請求項１〜３のいずれかに記載の袋物。
【請求項５】
２枚の前記表皮用シート生地をそれぞれの裏側同士を接した状態で縫製により接合させている部位において、前記２枚の表皮用シート生地の裁ち目を同一の包み布で被包していることを特徴とする請求項１〜４のいずれかに記載の袋物。
【考案の詳細な説明】
【技術分野】
【０００１】
本考案は、バレーボールやバスケットボール等のスポーツ競技に用いられるボールの表皮に加工される前の表皮用シート生地で袋部を形成したバンドバック、カバン、トートバック又は財布等の袋物に関する。
【背景技術】
【０００２】
特許文献１には、皮革とタオル生地とウレタンフォームとを用いた袋物であり、当該タオル生地の裏面を合成ゴム系接着剤等により当該ウレタンフォームと貼り合わせ、当該加工タオル生地と裏面が平漉された当該皮革とを縫合する袋物が開示されている。
【０００３】
特許文献２には、ハンドバッグ等袋物用の生地として、極細幅の柔かい皮革紐とラメ糸、天然糸等糸とを引き揃えたものを使用して編んだ生地が開示されている。
【先行技術文献】
【特許文献】
【０００４】
【特許文献１】実用新案登録第３０９７６８５号公報
【特許文献２】特開平７−５９６１２号公報
【考案の概要】
【考案が解決しようとする課題】
【０００５】
特許文献１の袋物は、特許文献１の段落［０００５］に記載されているように、皮革とタオル生地とウレタンフォームを用いた生地で、長期の使用に耐えうる強度や柔らかい風合いを有し使用しやすい袋物を目的としているが、生地自体には意匠性が乏しく、物体に接したときの表面摩耗強度が低い等の問題があった。
【０００６】
特許文献２の袋物の生地は、特許文献２の段落［０００３］に記載されているように、極細幅の柔かい皮革紐とラメ糸、天然糸等糸とを引き揃えたものを使用して編んだ生地で、より高いソフト感を出すことを目的にしているが、表面摩耗強度が低く、雨水に濡れると水分を吸収し外観が濡れて重く感じられタッチ感が濡れた物を触る感触になるという問題があった。
【０００７】
本考案はこうした問題に鑑み創案されたもので、表面摩耗強度、耐久性、立体感のある意匠性を有する外観、撥水性を有する生地から縫製された袋部を有する袋物を提供することを課題とする。
【課題を解決するための手段】
【０００８】
本考案におけるスポーツ競技に用いられるボールとは、バレーボール、バスケットボール、アメリカンフットボール、ラグビーボール、サッカーボール、ハンドボール、テニスボール、ドッジボール、ビーチボール、硬式野球ボール、軟式野球ボール、ソフトボール等のスポーツ競技用ボールを意味する。そして、本考案における表皮用シート生地とは、前記スポーツ競技用ボールの表皮に加工される前のシート状の生地を意味する。
【０００９】
本考案における袋物とは、カバン、バンドバック、メッセンジャーバック、トートバック、４ＷＡＹバック、スポーツバック、シューズケース、ポシェット、ショルダーバック、ボディバック、クラットバック、リュックサック、肩掛けバック、手提げバック、サコッシュ、ラウンド財布、コインケース、ミニコインケース、マルチケース、ランチポーチ、ポーチ、名刺入れ、カードケース、ミニマムケース、ペンケース、スマホケース、ペットボトルホルダー、カップホルダー、グラスケース、携帯電話ケース、肩掛けカバン、キーケース、財布等の収納物を収納する袋物を意味する。
【００１０】
請求項１に記載の袋物は、収納物を収納可能な袋部を有する袋体であって、スポーツ競技用ボールの表皮に加工される前の表皮用シート生地で前記袋部が形成されていることを特徴とする。
【００１１】
請求項２に記載の袋物は、請求項１において、前記袋部を形成する複数の表皮用シート生地からなる構成パーツの組合せが、同一スポーツ競技用ボールの表皮に加工される前の表皮用シート生地の、同一模様同一色彩の組合せ、同一模様異なる色彩の組合せ、異なる模様同一色彩の組合せ、又は、異なる模様異なる色彩の組合せからなることを特徴とする。
【００１２】
請求項３に記載の袋物は、請求項１において、前記袋部を形成する複数の表皮用シート生地からなる構成パーツの組合せが、異なるスポーツ競技用ボールの表皮に加工される前のそれぞれの表皮用シート生地の組合せからなることを特徴とする。
【００１３】
請求項４に記載の袋物は、請求項１〜３のいずれかにおいて、２枚の前記表皮用シート生地をそれぞれの表側同士を接した状態で縫製により接合させている部位において、前記縫製による縫い目近傍で折り曲げて、前記縫い目から裁ち目の間の縫い代を８〜１２ｍｍとしたことを特徴とする。
【００１４】
請求項５に記載の袋物は、請求項１〜４のいずれかにおいて、２枚の前記表皮用シート生地をそれぞれの裏側同士を接した状態で縫製により接合させている部位において、前記２枚の表皮用シート生地の裁ち目を同一の包み布で被包していることを特徴とする。
【考案の効果】
【００１５】
請求項１〜３のいずれかに記載の袋物は、スポーツ競技用ボールの表面にそれぞれのスポーツ競技ごとに異なる特徴的な凹凸や模様や色彩が施されていることから立体感のあるデザイン性を有し、試合での取り扱いに対しての強い衝撃にも耐えられる対衝撃性を有し、雨水等の水分に対する撥水性を有し、強い表面摩耗強度を有する表皮用シート生地を袋部に使用した袋物であるため、スポーツ競技用ボールの表皮の効果と同じ効果を有する。
【００１６】
そして、スポーツ競技用ボールの表皮と同じ素材で作られた袋部を有する袋物であることは、そのスポーツ競技者やそのスポーツファンに対して強い訴求力を有するという効果がある。
【００１７】
請求項４に記載の袋物は、表皮用シート生地が撥水性を有するが、縫製された表皮用シート生地間の合わせ目から雨水等の水分が毛細管現象で前記袋部内に浸入してくるのを防止するため、一般的には約５ｍｍである縫い代を本考案の袋物では８〜１２ｍｍに長くする。これにより、２枚の生地の接合面積を広くすることにより、雨水の袋物内部への浸入を阻止している。
【００１８】
請求項５に記載の袋物は、重ね合せている２枚の表皮用シート生地の裁ち目を同一の包み布で覆うことにより、裁ち目に亀裂が生じたり毛羽立つようになったりして、裁ち目の見栄えが低下するのを防ぐ効果を有する。
【図面の簡単な説明】
【００１９】
【図１】スポーツ競技用ボールの表皮用シート生地の一例であって２層構造の場合の説明図で、（ａ）が表皮用シート生地を示し、（ｂ）が（ａ）のＡ−Ａ断面を示す概要断面説明図である。
【図２】バレーボール用のボール表皮に加工する表皮用シート生地を袋部に使用した袋物の説明図で、（ａ）がバレーボールの外観を示した図で、（ｂ）がバレーボール用ボールの表皮に加工される前の表皮用シート生地を袋部に使用したトートバックを示す説明図である。
【図３】図２（ｂ）における表皮用シート生地の裁ち目の処理の説明図で、（ａ）が図２（ｂ）の２枚の表皮用シート生地同士を同じ表側同士を縫製により接合させている部位である前胴と横マチとの接合部の説明図で、（ｂ）が２枚の表皮用シート生地同士を同じ裏側同士を縫製により接合させている部位であるかぶせの端末の説明図である。
【図４】サッカー用ボールの表皮に加工される前の表皮用シート生地を袋部に使用した袋物の説明図で、（ａ）がサッカー用ボールの外観を示した図で、（ｂ）がサッカー用ボールの表皮に加工される前の表皮用シート生地を袋部に使用したトートバックを示す説明図である。
【図５】バレーボール用ボールの表皮に加工される前の表皮用シート生地を袋部に使用した袋物の説明図で、（ａ）がバレーボール用ボールの外観を示した図で、（ｂ）がバレーボール用ボールの表皮に加工される前の表皮用シート生地を袋部に使用したリュックサックを示す説明図である。
【図６】バスケットボール用ボールの表皮に加工される前の表皮用シート生地を袋部に使用した袋物の説明図で、（ａ）がバスケットボール用ボールの外観を示した図で、（ｂ）がバスケットボール用ボールの表皮に加工される前の表皮用シート生地を袋部に使用したカバンを示す説明図である。
【図７】硬式野球用ボールの表皮に加工される前の表皮用シート生地を袋部に使用した袋物の説明図で、（ａ）が硬式野球用ボールの外観を示した図で、（ｂ）が硬式野球用ボールの表皮に加工される前の表皮用シート生地を袋部に使用した肩掛けバックを示す説明図である。
【考案を実施するための形態】
【００２０】
本考案の袋物１は、図２（ｂ）、図４（ｂ）、図５（ｂ）、図６（ｂ）、図７（ｂ）に示すように、スポーツ競技用ボール３の表皮に加工される前の表皮用シート生地２を裁断して、それらの裁断された表皮用シート生地２のパーツを組み合わせて縫製により接合された袋部１０を有する。
【００２１】
本考案の袋物１の袋部１０に使用されているスポーツ競技用ボール３の表皮に加工される前の表皮用シート生地２は、図１（ａ）に示すように、加工前の段階においてはシート状の生地である。本考案の袋物１の袋部１０は、前記表皮用シート生地２を予め定めた形状のパーツとなるように裁断して、その裁断したパーツを縫製や接着剤によって接合して袋部１０を作っている。
【００２２】
前記スポーツ競技用ボール３の表皮に加工される前の表皮用シート生地２の構成は種々あるが、例えば、図１（ｂ）に示すような表皮用シート生地２として表皮基材４と被覆層５の２層構造の場合を説明する。この２層構造の場合の一例として、前記表皮基材５としては、天然皮革、不織布、編織物、繊維絡合体と高分子重合体からなる皮革様シート等の各種の繊維等を主体とする表皮基材５が該当する。また、前記被覆層４は、表面樹脂層であり、高分子弾性体からなる層が該当し、ポリウレタン系樹脂、アミノ酸系樹脂、コラーゲンやシルク等の粉体を利用したもの等が該当する。前記被覆層４には多孔質状であったり、凹凸形状が作られたり、色彩を施されているものがある。
【００２３】
したがって、前記スポーツ競技用ボール３の表皮に加工される前の表皮用シート生地２は、立体感のあるデザイン性に優れた外観を有し、表面摩耗強度が高く、耐久性を有し、水に濡れた際のノンスリップ性を有し、衝撃に対するソフトなクッション性を有し、撥水性を有するという機能を有している。これらの機能は、従来から存在するハンドバックやリュックサックの生地の例としての牛皮革、ワニ皮革、ビニールシート等には期待できない効果である。
【００２４】
本考案の袋物１の袋部１０は、スポーツ競技用ボール３の表皮と同じ素材からできているので、袋物１は前記袋部１０の生地である表皮用シート生地２が使用されるボールを扱うスポーツ競技者やファンの方々に対しては強い訴求力を有するという効果が期待できる。
【００２５】
図１（ａ）に示すような前記スポーツ競技用ボール３の表皮に加工される前のシート状の表皮用シート生地２を、予め設計した形状通りのパーツに裁断して、２つの前記表皮用シート生地２のパーツを縫製により接合する部位については、図３（ａ）に示すように、例えば図２（ｂ）Ｂ部に示すような前記袋部１０の前胴と横マチとの接合部である、２枚の前記表皮用シート生地２をそれぞれの表側である被覆層４同士を接した状態で縫製により接合させている部位において、前記縫製による縫い目６近傍で折り曲げて、前記縫い目６から裁ち目７の間の縫い代８を８〜１２ｍｍとしている。前記表皮用シート生地２は撥水性を有するために、水分が袋部１０の内部に毛細管現象で侵入してくるのを防止するために、縫い代８を一般的な５ｍｍ程度よりも長くした。これにより、２枚の前記表皮用シート生地２の合せ部からの水分の浸入を防ぐことができた。
【００２６】
また、図３（ｂ）に示すように、例えば図２（ｂ）Ｃ部に示すような前記袋部１０の開口部を開閉するかぶせの端部である、２枚の前記表皮用シート生地２をそれぞれの裏側である表皮基材５同士を接した状態で縫製により接合させている部位において、前記２枚の表皮用シート生地２の裁ち目７を同一の包み布９で被包している。これによって、使用によるこすれ等によって生ずる裁ち目７のほつれ等の袋物１の商品力低下を防ぐことができた。
【００２７】
次に、本考案の袋物１の前記袋部１０を形成する複数の表皮用シート生地２からなる構成パーツの組合せが、同一スポーツ競技用ボール３の表皮に加工される前の表皮用シート生地２の、同一模様同一色彩の組合せ、同一模様異なる色彩の組合せ、異なる模様同一色彩の組合せ、又は、異なる模様異なる色彩の組合せからなる。
【００２８】
さらに本考案の袋物１は、前記袋部１０を形成する複数の表皮用シート生地２からなる構成パーツの組合せが、異なるスポーツ競技用ボール３の表皮に加工される前のそれぞれの表皮用シート生地２の組合せからなることもできる。
【００２９】
また、本考案の袋物１の袋部１０の開口部には止水ファスナー（図示なし）を使用し、防水効果が高く雨に強い袋物１にすることもできる。
【００３０】
本考案の袋物１の事例１を説明する。特定したスポーツ競技用ボール３の表皮に加工される前の表皮用シート生地２で袋部１０を形成する場合であり、図２（ａ）に示すようなバレーボール用ボールの例えば白色地１１の部位に加工される前の表皮用シート生地２を使用し、図２（ｂ）に示すような白色地１１の表皮シート生地２を袋部１０に使用したトートバックの袋物１ができる。
【００３１】
ここで、バレーボール用ボールには、ボールの表皮の色彩として、黄色、青色、白色、赤茶色、緑色等があり、表面形状も触れた感じが多少異なったり滑りにくさが多少異なったりして細かな模様が異なります。そのため、同一模様同一色彩の組合せ、同一模様異なる色彩の組合せ、異なる模様同一色彩の組合せ、又は、異なる模様異なる色彩の組合せの袋部１０を縫製することができる。
【００３２】
次に、本考案の袋物１の事例２を説明する。特定したスポーツ競技用ボール３の表皮に加工される前の表皮用シート生地２で袋部１０を形成する場合であり、図４（ａ）に示すようなサッカー用のボールの例えば白色地１３の部位に加工される前の表皮用シート生地２を使用し、図４（ｂ）に示すような白色地１３の表皮シート生地２を袋部１０に使用したトートバックの袋物１ができる。
【００３３】
ここで、サッカー用ボールには、ボールの表皮の色彩として、白色、黒色、青色、赤茶色、黄色、灰色等があり、表面形状も蹴ったときの空気抵抗に違いがあったりして細かな模様が異なります。そのため、同一模様同一色彩の組合せ、同一模様異なる色彩の組合せ、異なる模様同一色彩の組合せ、又は、異なる模様異なる色彩の組合せの袋部１０を縫製することができる。
【００３４】
次に、本考案の袋物１の事例３を説明する。特定したスポーツ競技用ボール３の表皮に加工される前の表皮用シート生地２で袋部１０を形成する場合であり、図５（ａ）に示すようなバレーボール用ボールの例えば青色地１５の部位に加工される前の表皮用シート生地２を使用し、図５（ｂ）に示すような青色地１５の表皮シート生地２を袋部１０に使用したリュックサックの袋物１ができる。
【００３５】
次に、本考案の袋物１の事例４を説明する。特定したスポーツ競技用ボール３の表皮に加工される前の表皮用シート生地２で袋部１０を形成する場合であり、図６（ａ）に示すようなバスケットボール用ボールの例えば赤茶色地１７の部位に加工される前の表皮用シート生地２を使用し、図６（ｂ）に示すような赤茶色地１７の表皮シート生地２を袋部１０に使用したリュックサックの袋物１ができる。
【００３６】
ここで、バスケットボール用ボールには、ボールの表皮の色彩として、茶色、赤茶色、薄茶色、こげ茶色等があり、表皮の素材には天然皮革製、人工皮革製、ゴム製等があり細かな模様が異なります。そのため、同一模様同一色彩の組合せ、同一模様異なる色彩の組合せ、異なる模様同一色彩の組合せ、又は、異なる模様異なる色彩の組合せの袋部１０を縫製することができる。
【００３７】
次に、本考案の袋物１の事例５を説明する。特定したスポーツ競技用ボール３の表皮に加工される前の表皮用シート生地２で袋部１０を形成する場合であり、図７（ａ）に示すような硬式野球用ボールの例えば白地１９の部位に加工される前の表皮用シート生地２を使用し、図７（ｂ）に示すような白地１９の表皮シート生地２を袋部１０に使用した肩掛けバックの袋物１ができる。
【００３８】
ここで、硬式野球用ボールには、ボールの表皮の色彩として、ほとんど白色であり、表皮の素材には指の感触が異なること等から細かな模様が異なります。そのため、同一模様同一色彩の組合せ、又は、異なる模様同一色彩の組合せの袋部１０を縫製することができる。
【００３９】
また、バスケットボール用ボールの表皮に加工される前の表皮シート生地２とバレーボール用ボールの表皮に加工される前の表皮シート生地２との組み合わせの袋部１０を縫製することができるので、異なるスポーツ競技用ボール３の表皮に加工される前のそれぞれの表皮用シート生地２の組合せからなることもできる。
【符号の説明】
【００４０】
１        袋物
２        表皮用シート生地
３        スポーツ競技用ボール
４        被覆層
５        表皮基材
６        縫い目
７        裁ち目
８        縫い代
９        包み布
１０      袋部
【図１】
0003217871.tif 000003
【図２】
0003217871.tif 000004
【図３】
0003217871.tif 000005
【図４】
0003217871.tif 000006
【図５】
0003217871.tif 000007
【図６】
0003217871.tif 000008
【図７】
0003217871.tif 000009